(57)【特許請求の範囲】
【請求項１】
ボックス本体と、該ボックス本体上にスライド可能に配置される蓋体とを備えるコンソールボックスにおいて、
前記ボックス本体に、その上面を構成する上壁部が備えられ、
前記上壁部の上面又は前記蓋体の下面のうちの一方の面に、第１係止部と、該第１係止部よりも前方側に位置される第２係止部とが形成され、
前記上壁部の上面又は前記蓋体の下面のうちの他方の面に、該他方の面から出没可能に付勢状態をもって突出される係合片が設けられ、
前記係合片に、該係合片を前記他方の面内に退出させるための係合片操作手段が連係され
前記蓋体は、前記係合片が前記第２係止部に係止されているときには、該係合片が前記第１係止部に係止されているときに比べて、前記上壁部よりも前方に突出するように設定され、
前記一方の面のうち、前記第２係止部の存在領域は、該第２係止部に係止した前記係合片を介して所定以上の荷重を受けたときには、変形して、該第２係止部と該係合片との係止関係を解除するように設定されている、
ことを特徴とするコンソールボックス。
【請求項２】
請求項１において、
前記ボックス本体が、上面において開口を有するように形成され、
前記上壁部が、前記ボックス本体に回動可能に支持されて該ボックス本体の前記開口を開閉するように構成され、
前記蓋体が、前記上壁部上において該上壁部に対してスライド可能に保持されている、
ことを特徴とするコンソールボックス。
【請求項３】
請求項１において、
前記一方の面に、片持ち片部が、該片持ち片部の先端側を該一方の面の前部側に向けるようにして形成され、
前記片持ち片部の先端部に前記第２係止部が形成されている、
ことを特徴とするコンソールボックス。
【請求項４】
請求項３において、
前記片持ち片部が、前記一方の面にスリットを形成することにより、形成されている、
ことを特徴とするコンソールボックス。
【請求項５】
請求項１において、
前記第１係止部及び前記第２係止部が、前記上壁部の上面に形成され、
前記係合片が、前記蓋体の下面に設けられ、
前記係合片操作手段が、前記蓋体の前部に設けられている、
ことを特徴とするコンソールボックス。
【請求項６】
請求項５において、
前記上壁部に、スリットを形成することにより、片持ち片部が、該片持ち片部の先端側を該上壁部の前部側に向けるようにして形成され、
前記第１係止部が第１係止凹所として形成されていると共に、前記第２係止部が第２係止凹所として前記片持ち片部の先端部において形成され、
前記上壁部の上面が、少なくとも、前記片持ち片部及び該片持ち片部から前記第１係止凹所に至るまでの間において、平坦面として形成されている、
ことを特徴とするコンソールボックス。
【請求項７】
請求項６において、
前記上壁部と前記蓋体との間にばね材が介装され、
前記ばね材が、前記蓋体を前記上壁部の前部よりも前方に付勢するように設定されている、
ことを特徴とするコンソールボックス。
【発明の詳細な説明】
【技術分野】
【０００１】
本発明は、コンソールボックスに関するものである。
【背景技術】
【０００２】
コンソールボックスにおいては、そのボックス本体上に配置される蓋体（リッド）が、アームレストとして利用される傾向にあり、近時においては、自動車の座席が前後にスライド可能とされていることに伴い、アームレストとしての利用を的確に確保すべく、スライド方向において位置調整を可能としたものも提案されている。例えば、特許文献１には、コンソールボックスのボックス本体上に、上壁体（前後支持体１２）を設けると共に、その上壁体上において、その上壁体に蓋体を前後方向にスライド可能に保持し、その上で、その蓋体内面に位置決め凹所（係止凹所）を前後方向に順次、形成する一方、上壁体上にはばね材を介して係合片を設け、その係合片をばね材の付勢力により蓋体内面に押し付けたものが提案されている。
【０００３】
このものによれば、係合片を位置決め凹所内に入り込ませることにより蓋体を上壁体に対して位置決めした状態で保持でき、また、所定以上のスライド力（係合片を付勢するばね材に打ち勝つ力）を蓋体に加えれば、係合片が各位置決め凹所を乗り越えることになり、蓋体を上壁体に対してスライドさせることができる。これにより、蓋体の位置調整を容易に行えるだけでなく、蓋体が突出した状態において、その蓋体前部に突発的な比較的大きい外力が後方に向けて作用したときであっても（例えば、シフトレバーと蓋体との干渉等）、その蓋体を後方に退避（後退）させて、その外力を逃がすことができる。
【特許文献１】実公平６−７０１２号公報
【発明の開示】
【発明が解決しようとする課題】
【０００４】
しかし、このようなコンソールボックスにおいては、スライド体の位置調整の容易性と、突発的な外力に基づくスライド体の退避動とを確保できるものの、それら（特に位置調整）の円滑な作動のために、蓋体の位置保持力が比較的小さく設定されていることから、上記の態様以外においてはスライド体の位置が保持されていて欲しいにもかかわらず、その小さな位置保持力を超える外力が働いて蓋体が簡単に移動する傾向にある（蓋体の位置保持性の低下）。これに対しては、蓋体の位置保持力を比較的大きく設定することが考えられるが、そのときには、蓋体の位置調整のための操作性等が低下することになる。
【０００５】
本発明は以上のような事情を勘案してなされたもので、その目的は、ボックス本体と、そのボックス本体上にスライド可能に配置される蓋体とを備えるコンソールボックスにおいて、蓋体の位置調整の容易化、突発的な比較的大きい外力に基づく蓋体の退避動、及び通常時における蓋体の高い位置保持力のいずれも確保することにある。
【課題を解決するための手段】
【０００６】
前記目的を達成するため本発明(請求項１に係る発明）にあっては、
ボックス本体と、該ボックス本体上にスライド可能に配置される蓋体とを備えるコンソールボックスにおいて、
前記ボックス本体に、その上面を構成する上壁部が備えられ、
前記上壁部の上面又は前記蓋体の下面のうちの一方の面に、第１係止部と、該第１係止部よりも前方側に位置される第２係止部とが形成され、
前記上壁部の上面又は前記蓋体の下面のうちの他方の面に、該他方の面から出没可能に付勢状態をもって突出される係合片が設けられ、
前記係合片に、該係合片を前記他方の面内に退出させるための係合片操作手段が連係され
前記蓋体は、前記係合片が前記第２係止部に係止されているときには、該係合片が前記第１係止部に係止されているときに比べて、前記上壁部よりも前方に突出するように設定され、
前記一方の面のうち、前記第２係止部の存在領域は、該第２係止部に係止した前記係合片を介して所定以上の荷重を受けたときには、変形して、該第２係止部と該係合片との係止関係を解除するように設定されている構成としてある。この請求項１の好ましい態様としては、請求項２以下の記載の通りとなる。
【発明の効果】
【０００７】
請求項１の発明によれば、係合片が第１又は第２係止部に係止されているときには、蓋体は、その各係止状態においてそれぞれ位置決めされ、それらの各状態は、係合片操作手段に基づき係合片が退出して第１，第２係止部の各係止部との係止関係が解除されない限り保持され、蓋体は、高い位置決め保持状態をもって保持される。また、蓋体の位置調整の容易性に関しては、係合片操作手段により係合片を退出（第１又は第２係止部との係止関係を解除）させれば、蓋体は、上壁部に対してスムーズにスライドできることになり、別の第２又は第１係止部に移動してそこでの位置決めを簡単に行うことができる。さらには、突発的な比較的大きい外力に基づくスライド体の退避動に関しては、一方の面のうち、第２係止部の存在領域が、該第２係止部に係止した係合片を介して所定以上の荷重を受けたときには、変形して、該第２係止部と該係合片との係止関係を解除するように設定されていることから、蓋体が上壁部から突出した状態において、蓋体の位置調整とは別個独立した設定荷重の下で、蓋体を後方に的確に退避動させることができる。このように、蓋体の位置調整の容易性、突発的な比較的大きい外力に基づく蓋体の退避動、通常時における蓋体の高い位置保持力のいずれも確保できることになる。
【０００８】
請求項２の発明によれば、ボックス本体が、上面において開口を有するように形成され、上壁部が、ボックス本体に回動可能に支持されて該ボックス本体の開口を開閉するように構成され、蓋体が、上壁部上において該上壁部に対してスライド可能に保持されていることから、前述の作用効果だけでなく、上壁部を開くことによりボックス本体の上面開口を通じて、該ボックス本体内に対して小物等の出し入れを行うことができる。
【０００９】
請求項３の発明によれば、一方の面に片持ち片部が、該片持ち片部の先端側を該一方の面の前部側に向けるようにして形成され、その片持ち片部の先端部に第２係止部が形成されていることから、その片持ち片部先端部の第２係止部に係合片を係止させて、蓋体を上壁部よりも前方に突出させた状態（位置）に的確に保持できる一方、その第２係止部に係止した係合片を介して片持ち片部が所定以上の荷重を受けたときには、その片持ち片部が撓んで、係合片と第２係止部との係合関係が外れ、蓋体の位置調整とは別個に、その蓋体を後方に退避させることができる。
【００１０】
請求項４の発明によれば、片持ち片部が、一方の面にスリットを形成することにより、形成されていることから、特に部品を新たに用意する必要がなくなり、突発的な外力に基づく蓋体の退避動に関しては、極めて簡単な構成で実現できる。
【００１１】
請求項５の発明によれば、第１係止部及び第２係止部が上壁部の上面に形成され、係合片が蓋体の下面に設けられ、係合片操作手段が蓋体の前部に設けられていることから、蓋体が上壁部よりも前方に突出している状態においても、係合片操作手段は、最前部に配置されて隠されることはなくなり、蓋体の位置調整のための操作性を容易にできる。
しかも、蓋体下面から係合片を突出させる構成を採用し、その係合片自体の自重（重力）を有効に利用しており、係合片の付勢のためのばね材のばね力を小さくできる。
【００１２】
請求項６の発明によれば、上壁部に、スリットを形成することにより、片持ち片部が、該片持ち片部の先端側を該上壁部の前部側に向けるようにして形成され、第１係止部が第１係止凹所として形成されていると共に、第２係止部が第２係止凹所として片持ち片部の先端部において形成され、上壁部の上面が、少なくとも、片持ち片部及び該片持ち片部から第１係止凹所に至るまでの間において、平坦面として形成されていることから、突発的な外力に対して簡単な構成をもって係合片と第２係止凹所内壁（後壁）との係止関係を外し、蓋体を後方に円滑に退避動させることができる。
【００１３】
請求項７の発明によれば、上壁部と蓋体との間にばね材が介装され、ばね材が、蓋体を上壁部の前部よりも前方に付勢するように設定されていることから、蓋体を後方に退避動させて、突発的な外力を逃がした後、ばね材の付勢力により、再度、係合片を第２係止凹所まで復帰させて、蓋体を上壁部から突出した状態に戻すことができる。
【発明を実施するための最良の形態】
【００１４】
以下、本発明の実施形態について添付した図面を参照しつつ説明する。
図１〜図３において、符号１は、前後方向（図１中、左右方向）に延びるコンソールボックスで、コンソールボックス１は、ボックス本体２と、ボックス本体２上に配置される蓋体（リッド）３とを備えている。
【００１５】
前記ボックス本体２は、図１〜図３に示すように、自動車内のフロアに固定されるものであり、そのボックス本体２は、シフトレバー４の後方側に配置されている。このボックス本体２内には収納部５が形成されており、その収納部５には外部上方に向って開放された開口６が形成され、その開口６を通じて収納部５内に対して小物等の出し入れを行うことができることになっている。
【００１６】
このボックス本体２には、その上部において上壁部として構成すべく、ベース体７が備えられている。ベース体７は、前記収納部５の開口６に対応して長尺な板体として形成されており、その後部（図２，図３中、右側）には支持部７ａが設けられ、その前部（図２，図３中、左側）には操作レバー９が取付けられている。支持部７ａは、ボックス本体２の後部に回動可能に支持されており、ベース体７は、その支持部７ａの回動により、収納部５の開口６を開閉（起倒動）できることになっている。この場合、支持部７ａとボックス本体２との間には、図示を略すばねが介在されており、そのばねにより、ベース体７は開方向に付勢されている。操作レバー９は、ベース体７の前部下面に回動可能に支持されている。操作レバー９は、ボックス本体２に形成される係止孔１０に係止させるための係止爪部１１と、乗員が開閉操作するためのレバー部１２とを備えており、係止爪部１１が係止孔１０に係止されているときには、ベース体７は、収納部５の開口６を塞いだ状態に維持され、レバー部１２を上側に持ち上げるように回動させて係止爪部１１をボックス本体２の係止孔１０から退出させたときには、ベース体７は、図示を略すばねの付勢力により後方に向けて起立され、収納部５の開口６は開かれる。
【００１７】
このベース体７は、図２，図３に示すように、内部空間を有する扁平な構造とされており、その上面部１３には、図２〜図６に示すように、その幅方向（図５中、上下方向）中央部において、その前部から前後方向中央部分当たりまでの間において平坦面１４が確保されている。このベース体７の平坦面１４には、第１係止部（第１係止凹所）としての第１位置決め凹所１５と第２係止部（第２係止凹所）としての第２位置決め凹所１６とが前後方向に離間された状態で形成されている。第１位置決め凹所１５は、第２位置決め凹所１６よりも後方側に位置され、第２位置決め凹所１６は、ベース体７の前部よりもやや後方側に位置されている。この第１，第２位置決め凹所１５，１６内の底面上には、本実施形態においては、スポンジ材５０がそれぞれ配置されている。
【００１８】
また、ベース体７の平坦面１４には、図２〜図６に示すように、その前部よりも多少、後方側において、片持ち片部５１が形成されている。この片持ち片部５１は、前後方向に延びる一対のスリット１７と、その一対のスリット１７の前端側をつなぐスリット１８とをベース体７に形成することにより、平面視コ字状に形成されており、その片持ち片部５１は、一対のスリット１７の後端側を基準として、ベース体７の厚み方向に撓むことができることになっている。この片持ち片部５１の先端部（前端部）の上面は、それよりも後方側部分に対して多少、下方側に段差をもって引っ込むように形成されており、この片持ち片部５１の先端部形状に基づき、前記第２位置決め凹所１６が構成されている。
【００１９】
さらに、ベース体７には、その両側部に配設されて蓋体３をスライドさせるためのガイド溝１９、蓋体３に連係されてその蓋体３を前方に付勢するためのばね材２０、蓋体３のスライドに対して抵抗力を付与するためのピニオン２１が設けられている。尚、図４においては、後述の係合片２９が、位置決め凹所の一つとしての第１位置決め凹所１５内に進入した状態を示している。
【００２０】
前記蓋体３は、図２，図３に示すように、前記ベース体７に対してスライド可能に保持されている。蓋体３は、図２，図３，図７，図８に示すように、スライド本体２２と、カバー体２３とを備えており、スライド本体２２は、その上面がカバー体２３により被われている。スライド本体２２は、ベース体７に対応して長尺な略板体として形成されており、その幅方向両側には垂下壁部２４がそれぞれ設けられている。その各垂下壁部２４内面には、ガイド部２５がそれぞれ設けられており、その各ガイド部２５は、スライド本体２２の延び方向に延ばされている。このスライド本体２２は、ベース体７上において、その内部にベース体７を取り囲むように配置されており、各垂下壁部２４の各ガイド部２５は、ベース体７の各ガイド溝１９に摺動可能に嵌合されている。これにより、スライド本体２２は、ガイド部２５とガイド溝１９とに案内されて、ベース体７に対して前後方向にスライド可能となっている。図７中、符号５２は、ベース体７上に配置される前記ピニオン２１に噛合するラックである。
【００２１】
このスライド本体２２には、図２，図３，図８，図９に示すように、案内凹所２６が形成されている。この案内凹所２６は、スライド本体２２を下方側に膨出させることにより形成されており、その案内凹所２６は、スライド本体２２の前端から後方に延びてスライド本体２２の延び方向略中央までに至っている。この案内凹所２６の底部には、その後端側において、その幅方向に延びるようにして長孔２７（図９参照）が形成されており、その長孔２７を前後方向に跨ぐようにして案内箱２８が設けられ、その案内箱２８内に係合片２９が配設されている。係合片２９は、図９，図１０に示すように、係合片本体部３０と、その係合片本体部３０の両側壁部を兼ねて上方に突出する一対のガイド板部３１と、係合片本体部３０の中央部から、前記ガイド板部３１同様、上方に突出してその外周にコイルスプリングを装着するばね装着ピン部３３と、係合片本体部３０の各ガイド板部３１から側方に突出される一対の昇降用ガイド軸部３４とを備えている。案内箱２８は、その下部に開口を有しており、その案内箱２８内は、その下部開口を介して長孔２７に臨んでいる（案内箱２８の下部開口も符号２７を用いる）。また、案内箱２８は、その両側壁部２８ａが長孔２７の長手方向内方側に位置されている。各側壁部２８ａには、切り欠き３５が上下方向に延びるようにしてそれぞれ形成されており、その各切り欠き３５の下端側切り欠き端は、案内凹所２６底部における長孔２７に開口されている。これにより、係合片２９は、スライド本体２２の下面側から長孔２７を介して案内箱２８内に収納され、その係合片２９の各昇降用ガイド軸部３４は、長孔２７を通過した後、案内箱２８の切り欠き３５から外方に突出されることになっている。また、案内箱２８の上壁部２８ｂには、一対のガイド板部３１、ばね装着ピン部３３が貫通できる貫通孔３６，３７がそれぞれ形成されており、一対のガイド板部３１、ばね装着ピン部３３がその各貫通孔３６，３７を貫通して変位動することにより、係合片２９は、上下方向に変位動可能となり、これに伴い、係合片本体部３０の下端部が案内凹所２６底部下面（スライド本体２２下面）から下方に突出した状態、その突出状態から案内箱２８内に退出した状態をとり得るようになっている。
【００２２】
また、案内凹所２６内には、図２，図３，図８，図９に示すように、長尺な移動体３８が摺動可能に収納されている。この移動体３８は、案内箱２８とスライド本体２２の前部との間に亘って延びており、その後端部には、昇降機構３９が形成され、その前端部には、係止片操作手段としての操作ボタン４０が取付けられている。昇降機構３９は、案内箱２８の側壁部２８aを挟みつつ前記長孔２９を横切る一対の脚部４１を有しており、その各脚部４１にはガイド面４２がそれぞれ形成されている。この両ガイド面４２は、移動体３８の前端部側に向うに従って高くなるように傾斜されており、この両ガイド面４２は、係止片の一対の昇降用ガイド軸部３４を受け止めると共に、その傾斜したガイド面４２の前後動に基づき一対の昇降用ガイド軸部３４を昇降動させる機能を有している。この場合、ばね装着ピン部３３のコイルスプリング３２が係合片本体部３０と案内箱２８の上壁部２８ｂとの間に介在されており、このコイルスプリングの付勢力により、係合片２９は、各昇降用ガイド軸部３４が各ガイド面４２に押し付けられる方向に付勢されている。また、この移動体３８には、図８に示すように、延び方向内方側において、幅広のスリット４３が前後方向に延びるように形成され、その幅広スリット４３は、案内凹所２６底部に臨んでいる。その案内凹所２６底部には、スリット４３内において、ばね受け４４とストッパ４５とが立設されている一方、移動体３８には、ばね受け４４とストッパ４５との間に区画壁４６が設けられている。その区画壁４６にはばね装着ピン４７がばね受け４４に向けて突出されると共にそのばね装着ピン４７にコイルスプリング４８が装着されており、そのコイルスプリング４８の付勢力により、移動体３８は、その区画壁４６がストッパ４５に当接する方向に付勢されている。これにより、区画壁４６がストッパ４５に当接しているときには、移動体３８は最も前方位置に位置することになり、このとき、前記一対の昇降用ガイド軸部３４が位置（当接）している前記一対のガイド面４２の高さは、最も低い状態となり、係合片２９における係合片本体部３０の下端部は、スライド本体２２の下面から下方に突出する状態となる。一方、操作ボタン４０を押したときには、移動体３８が後方に移動して一対のガイド面４２も後退することになり、その各ガイド面４２により、昇降用ガイド軸部３４は上方に持ち上げられることになり、これに伴い、係合片本体部３０の下端部は、前記突出状態から案内箱２８（案内凹所２６）内に退出することになる。
【００２３】
前記係合片２９は、スライド本体２２のスライドに伴うその移動領域が、前記第１位置決め凹所１５と前記第２位置決め凹所１６とに対して臨むように配置されている。これにより、操作ボタン４０の非操作時状態において、係合片本体部３０の下端部が第１位置決め凹所１５内に臨んだ位置に位置されたときには、係合片本体部３０の下端部が第１位置決め凹所１５内に進入され、係合片本体部３０の下端部と第１位置決め凹所１５の内壁（前後壁）との係合関係により、蓋体３はベース体７と略全体的に重なった状態で保持される（図２の状態）。一方、係合片本体部３０の下端部が第２位置決め凹所１６内に臨んだ位置に位置されたときには、図１０に示すように、係合片本体部３０の下端部が第２位置決め凹所１６内に進入され、係合片本体部３０の下端部と第２位置決め凹所１６の内壁（前後壁）との係合関係により、蓋体３はベース体７から突出した状態で保持される（図３の状態）。
【００２４】
したがって、このようなコンソールボックス１においては、係合片本体部３０の下端部が第１位置決め凹所１５内に進入しているときには、蓋体３は、ベース体７に対して略全体的に重なった状態で位置決めされ、係合片本体部３０の下端部が第２位置決め凹所１６内に突出しているときには、ベース体７よりも前方に突出する突出状態で位置決めされ、それらの各状態は、操作ボタン４０を押すことにより係合片２９を各位置決め凹所１５（１６）内から退出させない限り保持され、蓋体３は、高い位置決め保持状態をもって保持される。これに対して、蓋体３の位置調整に関しては、操作ボタン４０を押すことにより係合片２９が進入状態の位置決め凹所（第１又は第２位置決め凹所１６）から退出することになり、その状態を維持しつつ、スライド力を蓋体３に付与すれば、蓋体３は、ベース体７に対してスムーズにスライドすることになる。このため、蓋体３の係合片２９を別の位置決め凹所（第２又は第１位置決め凹所１５）に移動させてそこでの位置決めを簡単に行うことができる。
【００２５】
また、蓋体３がベース体７よりも前方に突出する突出状態で位置決め保持されているときにおいて、突発的な比較的大きい外力（例えばシフトレバー４操作時にそのシフトレバー４を握る手との干渉等）が蓋体３の前部に作用したときには、図１０，図１１に示すように、係合片本体部３０の下端部が第２位置決め凹所１６内に進入されていても、その際の外力が係合片本体部３０の下端部を介して第２位置決め凹所後壁部１６ａに作用し、片持ち片部５１は、図１２に示すように撓み、その撓みがさらに進むことにより、係合片本体部３０の下端部と第２位置決め凹所後壁１６ａとの係合関係は、図１３に示すように外れる。これにより、蓋体３は、後退し、その際の外力を逃がすことができる。勿論この場合、片持ち片部５１の撓み性については、所望の強さに適宜設定される。この後、外力が作用しなくなると、ばね材２０の復帰力に基づき、スライド本体２２は、突出状態に戻るべく、前方にスライドして、係合片本体部３０の下端部が第２位置決め凹所１６内に入る。
尚、図１１〜図１３において、○印（符号５３）は、片持ち片部５１の撓み支点（スリット１７の後端部）を示す。
【００２６】
このように、コンソールボックス１においては、蓋体３の位置調整の容易性、突発的な比較的大きい外力に基づく蓋体３の退避動、通常時における蓋体３の高い位置保持力のいずれも満足させることができる。
【００２７】
以上実施形態について説明したが本発明にあっては、次のような態様を包含する。
（１）ボックス本体２、蓋体３等を合成樹脂材等の適宜の材料を用いて形成すること。
（２）ボックス本体２の上面に開口６を形成せず、上壁部をボックス本体２に一体的に形成すること。
（３）第１，第２位置決め凹所１５，１６をスライド本体２２に形成し、係合片２９をベース体７に設けること。
（４）第１，第２位置決め凹所１５，１６を、それぞれ複数設けること。
【００２８】
本発明の目的は、明記されたものに限らず、実質的に好ましいあるいは利点として表現されたものを提供することをも暗黙的に含むものである。
【図面の簡単な説明】
【００２９】
【図１】実施形態に係るコンソールボックスにおける蓋体のスライドを示す説明図。
【図２】実施形態に係るコンソールボックスにおいて、蓋体が非突出状態にあるときにおける状態を示す拡大縦断面図。
【図３】実施形態に係るコンソールボックスにおいて、蓋体が突出状態にあるときにおける状態を示す拡大縦断面図。
【図４】実施形態に係るベース体を示す斜視図。
【図５】実施形態に係るベース体を示す平面図。
【図６】実施形態に係るベース体を裏面側から見た状態を示す斜視図。
【図７】実施形態に係るスライド体を裏面側から見た状態を示す斜視図。
【図８】実施形態に係るスライド本体を示す平面図。
【図９】実施形態に係る係合片の昇降動を説明する説明図。
【図１０】実施形態に係る係合片と各位置決め凹所との関係を示す説明図。
【図１１】片持ち片部（第２位置決め凹所）における係合片の作動を説明する説明図。
【図１２】図１１の動作状態に続く状態を示す動作状態図。
【図１３】図１２の動作状態に続く状態を示す動作状態図。
【符号の説明】
【００３０】
１：コンソールボックス
２：ボックス本体
３：蓋体
７：ベース体（上壁部）
１４：平坦面
１５：第１位置決め凹所（第１係止部、第１係止凹所）
１６：第２位置決め凹所（第２係止部、第２係止凹所）
１７：スリット
１８：スリット
２０：ばね材
２２：スライド本体（蓋体）
２９：係合片
３０：係合片本体部
４０：操作ボタン（係合片操作手段）
５１：片持ち片部
【図１】
0004914304.tif 000002
【図２】
0004914304.tif 000003
【図３】
0004914304.tif 000004
【図４】
0004914304.tif 000005
【図５】
0004914304.tif 000006
【図６】
0004914304.tif 000007
【図７】
0004914304.tif 000008
【図８】
0004914304.tif 000009
【図９】
0004914304.tif 000010
【図１０】
0004914304.tif 000011
【図１１】
0004914304.tif 000012
【図１２】
0004914304.tif 000013
【図１３】
0004914304.tif 000014